(57)【要約】【課題】  液晶プロジェクタの画像の表示特性を向上させる。【解決手段】  プロジェクタ１０は、照明光学系１００やマイクロレンズアレイ２００、シャッタアレイ３００、液晶ライトバルブ４００、投写光学系５００、変調制御部６００を備えている。変調制御部６００は、入力した画像信号によって表される色の階調に応じてシャッタアレイ３００と液量ライトバルブ４００とを制御する。階調値が１％以下の場合には、シャッタアレイ３００によって１％の光を透過するように時分割制御し、詳細な階調表現は、液晶ライトバルブ４００によって実現する。また、階調値が０％の場合には、シャッタアレイ３００によって光を完全に遮光する。こうすることにより、暗い階調の再現性やコントラスト特性を向上させることができる。【選択図】  図１
2005077868.tif 000002
【特許請求の範囲】
【請求項１】
画像を投写表示するプロジェクタであって、
光源と、
液晶ライトバルブと、
光を投写させるか否かの２つの状態を時分割で切り替えることによって光の投写量を調整する素子を前記液晶ライトバルブの各画素に１対１に対応付けるように備える光量調整部と、
前記画像を表す画像信号に応じて前記液晶ライトバルブと光量調整部とを制御することにより、前記光源から射出された光を変調させる変調制御部と、
前記変調された光を投写する投写部と、
を備えるプロジェクタ。
【請求項２】
請求項１に記載のプロジェクタであって、
前記変調制御部は、前記画像信号によって表される色が最も暗い階調である場合に、前記光量調整部による光の投写量をゼロにさせる、プロジェクタ。
【請求項３】
請求項１に記載のプロジェクタであって、
前記変調制御部は、前記画像信号によって表される色が所定の基準よりも明るい階調である場合に、前記光量調整部による光の投写量を最大にさせ、前記液晶ライトバルブによって前記明るい階調を表すように光を変調させる、プロジェクタ。
【請求項４】
請求項１に記載のプロジェクタであって、
前記変調制御部は、前記画像信号によって表される色の階調に応じて、前記光量調整部に対して、投写させる光の投写量を予め設定された投写量に切り替えさせる、プロジェクタ。
【請求項５】
請求項４に記載のプロジェクタであって、
前記変調制御部は、前記画像信号によって表される色が比較的暗い階調である場合に、前記光量調整部に対して光の投写量を所定量に切り替えさせ、前記液晶ライトバルブを調整することにより、前記暗い階調を表すように光を変調させる、プロジェクタ。
【請求項６】
請求項１に記載のプロジェクタであって、
前記変調制御部は、前記液晶ライトバルブの各画素の制御タイミングに、前記各画素に対応する前記光量調整部の各素子の制御タイミングを同期させる、プロジェクタ。
【請求項７】
請求項１に記載のプロジェクタであって、
前記液晶ライトバルブは、液晶パネルを備え、前記液晶パネルを挟むように、第１の偏光板を光の入射面に、第２の偏光板を光の射出面に備えており、
前記光量調整部は、前記光源と前記第１の偏光板との間、前記第１の偏光板と前記液晶パネルとの間、前記液晶パネルと前記第２の偏光板との間、の少なくともいずれか１箇所に設けられた、プロジェクタ。
【請求項８】
請求項１に記載のプロジェクタであって、
前記液晶ライトバルブは、液晶パネルを備え、前記液晶パネルを挟むように、第１の偏光板を光の入射面に、第２の偏光板を光の射出面に備えており、
前記光量調整部は、前記光源と前記第１の偏光板との間に設けられ、
更に、前記光源と前記光量調整部との間に、前記光量調整部の各素子に光をそれぞれ集光させるマイクロレンズアレイを備える、プロジェクタ。
【請求項９】
請求項１に記載のプロジェクタであって、
前記変調制御部は、前記光量調整部に対して、画像を１フレーム表示させる期間のうち、所定期間、光を投写させないようにする、プロジェクタ。
【請求項１０】
請求項９に記載のプロジェクタであって、
前記光を投写させない期間は、前記１フレームの表示開始時間から所定の経過時間までである、プロジェクタ。
【発明の詳細な説明】
【技術分野】
【０００１】
本発明は、液晶プロジェクタの画像の表示特性を向上させる技術に関する。
【背景技術】
【０００２】
プロジェクタは、三管式プロジェクタやＤＬＰ（登録商標）プロジェクタ、液晶プロジェクタなど、光の変調方式に応じて種々の種類が存在する。近年では、微小なシャッタ素子をマトリクス状に配列したシャッタアレイによって光を変調する方式も提案されている（特許文献１，２，３参照）。このうち、液晶プロジェクタは、製造コストが比較的安価であるため、特に流通量が多い。
【０００３】
【特許文献１】特表２００２−５０６２２８号公報
【特許文献２】特表２００２−５３８５１２号公報
【特許文献３】国際公開第０２／４２８２６号パンフレット
【発明の開示】
【発明が解決しようとする課題】
【０００４】
しかし、従来の液晶プロジェクタは、光源から射出された光を液晶によって完全に遮光することが困難であるため、暗い階調の再現性が劣るという課題があった。また、いわゆるホールド型の表示デバイスである液晶では、動画再生時のフレームの切り替え時に人間の目に前回表示されたフレームが残像として残り、画像にブレが生じて見えるという課題もあった。
【０００５】
本発明はこれらの課題に考慮してなされたものであり、液晶プロジェクタにおいて、コントラスト特性や動画の再生能力を向上させることを目的とする。
【課題を解決するための手段】
【０００６】
上記課題の少なくとも一部を解決するため、本発明のプロジェクタを次のように構成した。すなわち、画像を投写表示するプロジェクタであって、
光源と、
液晶ライトバルブと、
光を投写させるか否かの２つの状態を時分割で切り替えることによって光の投写量を調整する素子を前記液晶ライトバルブの各画素に１対１に対応付けるように備える光量調整部と、
前記画像を表す画像信号に応じて前記液晶ライトバルブと光量調整部とを制御することにより、前記光源から射出された光を変調させる変調制御部と、
前記変調された光を投写する投写部と、
を備えることを要旨とする。
【０００７】
上記光量調整部は、例えば、前述したシャッタアレイやＤＭＤ（Digital Micromirror Device）、強誘電性液晶などによって構成することができる。これらのデバイスは、液晶ライトバルブよりも一般的にコントラスト特性に優れるという特徴がある。しかし、光量調整部は、光の投写量を時分割で調整するため、階調の分解能には限度がある。一方、液晶ライトバルブは、光を完全に遮断することが困難なためコントラスト特性に劣るが、光の透過量をアナログ的に調整できるため、階調の分解能は優れている。本発明によれば、このような液晶ライトバルブと光量調整部を併用して光を変調させるため、それぞれの長所を生かすことにより、プロジェクタの表示特性を向上させることができる。
【０００８】
上記プロジェクタにおいて、
前記変調制御部は、前記画像信号によって表される色が最も暗い階調である場合に、前記光量調整部に対して光の投写量をゼロにさせるものとしてもよい。
【０００９】
こうすることにより、光量調整部によって光を遮断することができるため、液晶ライトバルブだけでは表現の難しい黒色や明度の低い色の再現性を向上させることができる。特に光量調整部をシャッタアレイにより構成する場合には、光をほぼ完全に遮断することができるため効果が高い。
【００１０】
上記プロジェクタにおいて
前記変調制御部は、前記画像信号によって表される色が所定の基準よりも明るい階調である場合に、前記光量調整部に対して光の投写量を最大にさせ、前記液晶ライトバルブによって前記明るい階調を表すように光を変調させるものとしてもよい。
【００１１】
液晶ライトバルブは、黒色近辺の暗い階調よりも明るい色については階調の分解能に優れている。従って、このような構成とすることにより、画像信号によって表される色が所定の基準よりも明るい階調の場合には、液晶ライトバルブの利点を生かした表示を行うことができる。
【００１２】
上記プロジェクタにおいて、
前記変調制御部は、前記画像信号によって表される色の階調に応じて、前記光量調整部に対して、投写させる光の投写量を予め設定された投写量に切り替えさせるものとしてもよい。
【００１３】
切り替えさせる態様としては、例えば、
前記変調制御部は、前記画像信号によって表される色が比較的暗い階調である場合に、前記光量調整部に対して光の投写量を所定量に切り替えさせ、前記液晶ライトバルブを調整することにより、前記暗い階調を表すように光を変調させるものとすることができる。
【００１４】
こうすることにより、光量調整部によって基本的な暗い階調を表し、詳細な階調表現は液晶ライトバルブを用いて調整することができる。従って、表示する色が暗い階調であっても、分解能の優れた表示を行うことが可能となる。
【００１５】
上記プロジェクタにおいて
前記変調制御部は、前記液晶ライトバルブの各画素の制御タイミングに、前記各画素に対応する前記光量調整部の各素子の制御タイミングを同期させるものとしてもよい。
【００１６】
液晶ライトバルブの各画素を制御するタイミングは、通常、液晶全面に対して一時に行うのではなく、所定の画素数単位で順次制御を行う。従って、光量調整部の各素子を制御するタイミングを、このような液晶ライトバルブの制御タイミングに同期させることにより、より精度の高い色の再現を行うことが可能となる。
【００１７】
上記プロジェクタにおいて
前記液晶ライトバルブは、液晶パネルを備え、前記液晶パネルを挟むように、第１の偏光板を光の入射面に、第２の偏光板を光の射出面に備えており、
前記光量調整部は、前記光源と前記第１の偏光板との間、前記第１の偏光板と前記液晶パネルとの間、前記液晶パネルと前記第２の偏光板との間、の少なくともいずれか１箇所に設けるものとしてもよい。
【００１８】
このような構成であれば、光量調整部を光源と第１の偏光板との間に設けることにより、第１の偏光板と第２の偏光板の両者の発熱や劣化を抑制することができる。また、第１の偏光板と液晶パネルとの間、もしくは、液晶パネルと第２の偏光板との間に設けることにより、第２の偏光板の発熱や劣化を抑制することができる。
【００１９】
上記プロジェクタにおいて
前記液晶ライトバルブは、液晶パネルを備え、前記液晶パネルを挟むように、第１の偏光板を光の入射面に、第２の偏光板を光の射出面に備えており、
前記光量調整部は、前記光源と前記第１の偏光板との間に設けられ、
更に、前記光源と前記光量調整部との間に、前記光量調整部の各素子に光をそれぞれ集光させるマイクロレンズアレイを備えるものとしてもよい。
【００２０】
このような構成であれば、光量調整部を構成する各素子の周囲に存在する格子をはずして光を集光させることができるため、光源から照射される光を効率的に利用することが可能となる。
【００２１】
上記プロジェクタにおいて
前記変調制御部は、前記光量調整部に対して、画像を１フレーム表示させる期間のうち、所定期間、光を投写させないようにするものとしてもよい。
【００２２】
このような構成であれば、光の投写されない期間の画像が人間の脳によって補間されるため、残像感を抑えた動画の表示を行うことができる。光を投写させない期間は、ＣＲＴの表示特性と同程度である１フレームの表示期間中の７５％程度とすることができる。ここで、１フレームの表示期間とは、一般的に１／６０秒である。このような制御は、再生する画像が動画であるか静止画であるかにかかわらず行うものとしてもよいし、動画を再生する場合にのみ行うものとしてもよい。また、ユーザが任意に切り替えるものとしてもよい。
【００２３】
かかる構成において、
前記光を投写させない期間は、前記１フレームの表示開始時間から所定の経過時間までであるものとしてもよい。
【００２４】
液晶ライトバルブは、ホールド型デバイスであるが、１フレームの表示開始時間付近では、液晶のねじれが一定になるまで階調が不安定となる。そのため、このような期間を、上記構成によって光量調整部を用いて遮光すれば、より安定した動画の表示を行うことが可能となる。
【００２５】
本発明において、上述した種々の態様は、適宜、組み合わせたり、一部を省略したりして適用することができる。また、本発明は、プロジェクタの制御方法としても構成することができる。
【発明を実施するための最良の形態】
【００２６】
以下、本発明の実施の形態について実施例に基づき次の順序で説明する。
Ａ．プロジェクタの概略構成：
Ｂ．シャッタアレイの制御方法：
Ｃ．ＬＵＴに基づく変調制御：
Ｄ．液晶ライトバルブとシャッタアレイの制御タイミング：
Ｅ．動画の再生制御：
Ｆ．変調処理：
Ｇ．変形例：
【００２７】
Ａ．プロジェクタの概略構成：
図１は、実施例としてのプロジェクタの概略構成を示す説明図である。プロジェクタ１０は、照明光学系１００やマイクロレンズアレイ２００、シャッタアレイ３００、液晶ライトバルブ４００、投写光学系５００、変調制御部６００を備えている。
【００２８】
照明光学系１００は、光源装置１２０や２つのレンズアレイ１３０，１４０、偏光変換素子１５０、重畳レンズ１６０を備えている。照明光学系１００は、これらの光学系の作用により、光源装置１２０から射出された光を偏光方向の揃った１種類の直線偏光光に変換して射出する。
【００２９】
マイクロレンズアレイ２００は、微小なレンズの集合体である。各レンズは、シャッタアレイ３００を構成する各シャッタ素子に１対１に対応するように備えられている。この各レンズは、照明光学系１００から射出された光をシャッタアレイ３００の各シャッタ素子の開口部に集光させる。こうすることにより、シャッタアレイ３００の格子部分に対する光の照射を抑制することができるため、光源から射出される光を効率的に利用することができる。
【００３０】
シャッタアレイ３００は、微小なシャッタ素子の集合体である。各シャッタ素子は、液晶ライトバルブ４００の各画素に１対１に対応付けるように備えられている。本実施例では、このシャッタアレイ３００を利用することにより、プロジェクタ１０のコントラスト特性を高めるとともに、動画再生時の残像感を抑制する。かかるシャッタアレイ３００の詳細な説明は後述する。
【００３１】
液晶ライトバルブ４００は、液晶パネル４１０を備え、この液晶パネル４１０を挟むように第１の偏光板４２０を光の入射面に、第２の偏光板４３０を光の射出面に備えている。第１の偏光板４２０の偏光軸は、マイクロレンズアレイ２００やシャッタアレイ３００を介して入射する直線偏光光の偏光方向と同じになるように設定されている。従って、第１の偏光板４２０に入射した光のほとんどが第１の偏光板をそのまま通過する。第１の偏光板から射出された偏光光は、変調制御部６００の指示に基づき液晶パネル４００によって変調される。第２の偏光板４３０は、液晶パネルにおいて変調された光のうち、偏光軸と同じ偏光方向の光成分のみを射出する。
【００３２】
投写光学系５００は、投写レンズやズームレンズ等によって構成されており、液晶ライトバルブ４００の第２の偏光板４３０から射出された変調光をスクリーンＳＣに拡大投写する。
【００３３】
変調制御部６００は、図示していない画像出力装置からコンポーネント信号やコンポジット信号、ＲＧＢ信号などの画像信号を入力し、この画像信号によって表される色に応じてシャッタアレイ３００と液晶ライトバルブ４００を制御することにより照明光学系１００から射出された光を変調させる。かかる制御は、液晶ルックアップテーブル（液晶ＬＵＴ）とシャッタルックアップテーブル（シャッタＬＵＴ）を参照することにより行う。画像出力装置とは、例えば、ＤＶＤプレーヤやビデオデッキ、パーソナルコンピュータといった装置である。変調制御部６００は、ＣＰＵやＲＯＭ、ＲＡＭを備えるマイクロコンピュータによってソフトウェア的に構成することができるほか、ＬＳＩなどによってハードウェア的に構成することもできる。
【００３４】
Ｂ．シャッタアレイの制御方法：
図２は、シャッタアレイ３００の概略構成を示す説明図である。図示するように、シャッタアレイ３００は、微小なシャッタ素子の集合体である。各シャッタ素子の大きさは、液晶ライトバルブ４００の各画素の大きさに相当する。各シャッタ素子は、その一辺に設けられたヒンジを軸として開閉動作する。閉状態時には、光の透過をほぼ完全に遮断することができるため、黒色の再現性を高めることができる。変調制御部６００は、この開閉動作を時分割で制御することにより、光を投写させるか否かの２つの状態を切り替え、光の透過量を調整する。
【００３５】
図３は、時分割によるシャッタアレイ３００の制御方法を示す説明図である。図３（ａ）には、１フレームの表示期間（１／６０秒）中、最大の光量を透過させるタイミングチャートを示した。この場合には、１フレーム期間中、常に、シャッタ素子を開状態とすることにより、最大の光量を透過させることができる。図３（ｂ）には、５０％の光量を透過させるタイミングチャートを示した。かかる場合には、図示するように、開状態の全体の期間が、図３（ａ）に対して５０％になるように、開状態と閉状態とを交互に切り替えるものとした。こうすることによって、５０％の光量を透過させることができる。図３（ｃ）（ｄ）には、図３（ｂ）と同様の原理により１０％の光量および１％の光量を透過させる場合のタイミングチャートを示した。時分割制御では、こうして、シャッタ素子を高速に開閉動作させることにより、投写する光量の調整を行う。
【００３６】
Ｃ．ＬＵＴに基づく変調制御：
図４は、液晶ＬＵＴに定義されたグラフである。横軸は、画像信号によって表される色の階調値をパーセンテージで表している。０％が最も暗い階調値であり、１００％が最も明るい階調値である。図示するように、横軸は、階調値が０〜１％と１〜１００％とでスケールを変えて表している。一方、縦軸は、この階調値に応じて設定された液晶ライトバルブ４００による光の透過率を表している。変調制御部６００は、入力した画像信号の階調値に応じて、光の透過率が設定された値となるように液晶ライトバルブ４００を制御する。図示するように、液晶ＬＵＴには、非連続な相似形のグラフが２つ定義されている。そのため、画像信号によって表される階調値が１％超１００％以下の場合には、グラフＡが適用され、０％以上１％以下の場合には、グラフＢが適用される。グラフＡとグラフＢの両者とも、光の透過率の最小値は１％となっている。これは、液晶ライトバルブ４００の特性上、光を完全に遮断することができないためである。
【００３７】
図５は、シャッタＬＵＴに定義されたグラフである。横軸は、図４と同様、画像信号によって表される色の階調値をパーセンテージで表しており、階調値が０〜１％と１〜１００％とでスケールを変えて表している。縦軸は、階調値に応じて設定されたシャッタアレイ３００による光の透過率（シャッタの開度）を表している。図示するように、シャッタＬＵＴでは、画像信号によって表される色の階調値が１％超１００％以下の場合には、透過率が１００％に固定され、０％以上１％以下の場合には、１％に固定されるものとした。
【００３８】
以上で説明した液晶ＬＵＴとシャッタＬＵＴによれば、階調値が１％超１００％以下の場合には、シャッタアレイ３００の開度は１００％に固定され、液晶ライトバルブ４００のみによって光を変調することとなる。階調値が０％超１％以下の場合には、シャッタアレイ３００によって光の透過量が１％に規制されるため、液晶ライトバルブ４００によって、０．０１％〜１％という微妙な階調を表現することとなる。また、階調値が０％の時には、シャッタアレイ３００によって光の透過が遮断される。
【００３９】
図６は、図４と図５のグラフを仮想的に合成したグラフである。本グラフでは、縦軸、横軸共に、０〜１％と１〜１００％とでスケールを変えて表している。本実施例によれば、液晶ライトバルブ４００とシャッタアレイ３００の両者を用いることにより、図示するように比較的暗い階調において、より詳細な階調表現を行うことができる。つまり、液晶ライトバルブが苦手とする暗い階調の再現性を、シャッタアレイ３００を併用することで、格段に高めることが可能となる。また、階調値が０％の時にはシャッタアレイ３００によって光を遮光するため、コントラスト特性を大幅に向上させることもできる。
【００４０】
もちろん、シャッタアレイ３００のみを用いることによって、光を変調することもできるが、シャッタアレイ３００は、時分割制御によって階調表現を行うため、階調の分解能に限界がある。しかし、本実施例のように、アナログ的に階調を表現できる液晶ライトバルブ４００を併用することにより、より詳細な階調表現を行うことが可能となる。
【００４１】
Ｄ．液晶ライトバルブとシャッタアレイの制御タイミング：
図７は、液晶ライトバルブ４００とシャッタアレイ３００の制御タイミングを示す説明図である。液晶ライトバルブ４００は、通常、ｘ方向に１２画素分ずつ駆動される。そして、１ライン分の駆動が終わると、次のラインに制御が移行される。つまり、図７（ａ）で示す記号によれば、Ｌ１１、Ｌ１２、...、Ｌ１ｘ、Ｌ２１、...、Ｌｙｘの順に画素が駆動されることとなる。そこで、本実施例では、シャッタアレイ３００の制御タイミングを液晶ライトバルブ４００の制御タイミングと同期させるものとした。つまり、シャッタアレイ３００も、１２画素分ずつ順に、Ｓ１１、Ｓ１２、...、Ｓ１ｘ、Ｓ２１、...、Ｓｙｘと、制御を行う。
【００４２】
図７（ｂ）は、あるタイミングで、画面全体の階調値を０％から所定の階調値に変化させた場合のタイミングチャートである。上述したように、液晶ライトバルブ４００とシャッタアレイ３００とは同期して制御が行われるため、図示するように、Ｌ１１とＳ１１とは同時に信号が立ち上がり、その後、Ｌ１２とＳ１２の信号が同時に立ち上がる。最後に、ＬｙｘとＳｙｘとが同時に信号が立ち上がることとなる。このように液晶ライトバルブ４００とシャッタアレイ３００の制御タイミングを同期させることにより、精度よく変調を行うことができる。
【００４３】
Ｅ．動画の再生制御：
図８は、動画の再生能力を向上させるためのシャッタアレイ３００の制御方法を示す説明図である。図８（ａ）は、液晶ライトバルブ４００を駆動する制御信号のタイミングチャートである。ここでは、最初の１フレーム目で階調値を５０％、２フレーム目で１００％、３フレーム目で２５％、４フレーム目で１００％とする例を示した。
【００４４】
図８（ｂ）は、図８（ａ）で示した制御信号に基づき液晶ライトバルブ４００によって変調された変調光の明度を示すタイミングチャートである。液晶ライトバルブ４００は、制御信号が入力されてから液晶のねじれ度合いが安定するまでに若干のタイムラグが生じる。そのため、図示するように、フレームの初期段階では明度が不安定な部分が存在する。
【００４５】
本実施例では、図８（ｃ）で示すように、シャッタアレイ３００を用いて、１フレーム期間の最初の７５％の期間の光を遮断し、残りの２５％の期間だけ光を投写させるものとした。こうすることにより、図８（ｄ）で示すような光を射出することができる。このように、１フレーム中の２５％程度の期間だけ光を投写させることにより、動画の残像感を抑制することが可能となる。これは、光が投写されない期間の画像が人間の脳によって補間されるためである。２５％という期間は、動画の再生能力に優れたＣＲＴ等のインパルス型の表示デバイスの特性を鑑みて設定した期間である。また、１フレーム期間の最初の部分を遮光するものとしたため、図８（ｂ）で示した明度の不安定な部分がマスクされ、安定した動画を表示することができる。
【００４６】
図３では、シャッタアレイ３００による光量調整を、１フレームの通常の表示期間である１／６０秒間を１単位として、この中で時分割制御するものとして説明した。しかし、上述した動画の再生処理を行う場合には、１フレームの表示期間中の２５％だけ投写を行うため、１／６０秒の２５％の期間、つまり、１／２４０秒を１単位として、この中で時分割制御を行うものする。  
【００４７】
Ｆ．変調処理：
図９は、変調制御部６００による変調処理のフローチャートである。まず、変調制御部６００は、画像信号を入力すると（ステップＳ１０）、液晶ＬＵＴとシャッタＬＵＴを参照する（ステップＳ２０）。そして、これらのＬＵＴに従い、液晶ライトバルブ４００とシャッタアレイ３００とを制御して光を変調させる（ステップＳ３０）。このとき、上述した動画の再生制御を同時に行う。プロジェクタ１０は、以上の処理を電源ＯＮ時に常時行う。
【００４８】
Ｇ．変形例：
以上、本発明の実施例について説明したが、本発明はこのような実施例に限定されず、その趣旨を逸脱しない範囲で種々の構成を採ることができる。例えば、図８で示した動画の再生処理は動画を投写する場合にのみ行ってもよいし、静止画を投写する場合にも同様に行ってもよい。また、全く行わないものとしてもよい。また、シャッタアレイ３００を上述した動画の再生処理の目的にのみ用いるものとして、光の変調は液晶ライトバルブ４００のみによって行うものとしてもよい。その他、例えば、以下のような変形が可能である。
【００４９】
（Ｇ−１）：
図１０は、変形例としての液晶ＬＵＴを示す説明図であり、図１１は、変形例としてのシャッタＬＵＴを示す説明図である。上記実施例では、階調値１％を境界として制御を切り替えるものとした。しかし、制御を切り替えるポイントは１つではなく、図１０および図１１で示すように、複数のポイントで切り替えるものとしてもよい。本変形例では、階調値が０．８％と２０％の２つのポイントで切り替えるものとした。このように、複数のポイントで制御を切り替えるものとすれば、例えば、リニアな特性を得られる液晶ライトバルブ４００の中間調付近の特性を活用した変調を行うことができる。
【００５０】
（Ｇ−２）：
図１２は、プロジェクタ１０の変形例を示す説明図である。かかる変形例では、照明光学系１００から射出された光を、色光分離光学系７００とリレー光学系７５０によって赤、青、緑の三原色に分離してそれぞれの色ごとに変調を行うものとした。従って、本変形例によるプロジェクタ１０は、マイクロレンズアレイ（２００Ｒ，２００Ｇ，２００Ｂ）と、シャッタアレイ（３００Ｒ，３００Ｇ，３００Ｂ）と、液晶ライトバルブ（４００Ｒ，４００Ｇ，４００Ｂ）とをそれぞれ３組備えている。ＲＧＢ毎に変調された光は、クロスダイクロイックプリズム８００によって合成され、投写光学系５００により、拡大投写される。
【００５１】
（Ｇ−３）：
図１で示したように、実施例では、マイクロレンズアレイ２００は、照明光学系１００とシャッタアレイ３００との間に設けるものとしたが、その他にも、例えば、シャッタアレイ３００と第１の偏光板４２０の間に設けるものとしてもよい。こうすることにより、第１の偏光板４２０や第２の偏光板４３０の発熱や劣化を抑制することができる。また、第１の偏光板４２０と液晶パネル４１０の間、もしくは、液晶パネル４１０と第２の偏光板４３０の間に設けてもよい。こうすれば、第２の偏光板４３０の発熱や劣化を抑制することが可能となる。
【００５２】
（Ｇ−４）：
上記実施例では、液晶ライトバルブ４００とシャッタアレイ３００を併用して光を変調するものとした。しかし、シャッタアレイ３００に換えて、例えば、ＤＭＤや強誘電性液晶などを用いることにより光の透過を時分割制御するものとしてもよい。また、液晶ライトバルブ４００に用いるものと同等な液晶パネルを用いてもよい。このような構成でも、コントラスト特性や動画再生能力の向上を図ることができる。
【図面の簡単な説明】
【００５３】
【図１】実施例としてのプロジェクタの概略構成を示す説明図。
【図２】シャッタアレイの概略構成を示す説明図。
【図３】時分割によるシャッタアレイの制御方法を示す説明図。
【図４】液晶ＬＵＴに定義されたグラフ。
【図５】シャッタＬＵＴに定義されたグラフ。
【図６】図４と図５のグラフを仮想的に合成したグラフ。
【図７】液晶ライトバルブとシャッタアレイの制御タイミングを示す説明図。
【図８】動画再生能力を向上させるためのシャッタアレイの制御方法を示す説明図。
【図９】変調制御部による変調処理のフローチャート。
【図１０】変形例としての液晶ＬＵＴを示す説明図。
【図１１】変形例としてのシャッタＬＵＴを示す説明図。
【図１２】プロジェクタの変形例を示す説明図。
【符号の説明】
【００５４】
１０...プロジェクタ
１００...照明光学系
１２０...光源装置
１３０，１４０...レンズアレイ
１５０...偏光変換素子
１６０...重畳レンズ
２００，２００Ｒ，２００Ｇ，２００Ｂ...マイクロレンズアレイ
３００，３００Ｒ，３００Ｇ，３００Ｂ...シャッタアレイ
４００，４００Ｒ，４００Ｇ，４００Ｂ...液晶ライトバルブ
４１０...液晶パネル
４２０...第１の偏光板
４３０...第２の偏光板
５００...投写光学系
６００...変調制御部
７００...色光分離光学系
７５０...リレー光学系
８００...クロスダイクロイックプリズム
ＳＣ...スクリーン  
【図１】
2005077868.tif 000003
【図２】
2005077868.tif 000004
【図３】
2005077868.tif 000005
【図４】
2005077868.tif 000006
【図５】
2005077868.tif 000007
【図６】
2005077868.tif 000008
【図７】
2005077868.tif 000009
【図８】
2005077868.tif 000010
【図９】
2005077868.tif 000011
【図１０】
2005077868.tif 000012
【図１１】
2005077868.tif 000013
【図１２】
2005077868.tif 000014